(57)【要約】【課題】プリンタの使用者の安全性を確保するとともに、カッタージャムを容易かつ確実に解除すること。【解決手段】カバー部５０２に取り付けられた固定刃と、カバー部５０２が閉状態において固定刃と対峙するとともに固定刃に対して往復動自在に設けられ、往動する際に固定刃と重畳することにより固定刃と共働して記録媒体を切断する可動刃と、可動刃を往復動させる可動刃駆動用のモータと、可動刃と可動刃駆動用のモータと可動刃を収納する収納部４０７ａとからなり、プリンタ本体５０１側に設けられた可動刃ユニット４０７と、を備えたプリンタ２０１において、可動刃が収納部４０７ａから突出した状態で停止した場合に、カバーオープンレバー１０７が操作されることによって可動刃駆動用のモータの駆動によって突出した可動刃を収納部４０７ａへ収納する前に、固定刃と突出した可動刃との対峙する間隔を広げる機構を備えた。【選択図】図９
2010234561.tif 000002
【特許請求の範囲】
【請求項１】
記録媒体収納部と、
前記記録媒体収納部から搬送される記録媒体に印字をおこなう印字部を有するプリンタ本体と、
前記プリンタ本体に回動自在に取り付けられ、前記記録媒体収納部を覆うカバー部と、
前記印字部に対して記録媒体搬送方向の下流側であって、前記カバー部に取り付けられた固定刃と、
前記カバー部が閉状態において前記固定刃と対峙するとともに前記固定刃に対して往復動自在に設けられ、往動する際に前記固定刃の記録媒体搬送方向の下流側と重畳することにより、前記固定刃との間に挿入された記録媒体を前記固定刃と共働して切断する可動刃と、
前記可動刃を往復動させる可動刃駆動手段と、
前記可動刃と前記可動刃駆動手段と前記可動刃を収納する収納部とからなり、前記プリンタ本体側に設けられた可動刃ユニットと、
を備えたプリンタにおいて、
前記可動刃が前記収納部から突出した状態で停止した場合に、
操作部が操作されることによって前記可動刃駆動手段が突出した前記可動刃を前記収納部へ収納する前に、前記固定刃と突出した前記可動刃との対峙する間隔を広げる機構を備えたことを特徴とするプリンタ。
【請求項２】
前記可動刃ユニットを記録媒体搬送方向の下流側に付勢する付勢部材と、
前記可動刃が前記固定刃と重畳する状態で前記可動刃ユニットを前記プリンタ本体に係止する可動刃ユニットロック機構を備え、
前記操作部を操作することによって、前記可動刃ユニットロック機構を解除するよう構成されたことを特徴とする請求項１に記載のプリンタ。
【請求項３】
前記カバー部を閉じた状態で前記プリンタ本体に係止するカバー部ロック機構を備え、
前記操作部を操作することによって、前記カバー部ロック機構を解除するよう構成されたことを特徴とする請求項１または２に記載のプリンタ。
【請求項４】
前記可動刃ユニットは、前記プリンタ本体から着脱可能に設けられたことを特徴とする請求項１から３のいずれか一つに記載のプリンタ。
【発明の詳細な説明】
【技術分野】
【０００１】
この発明は、ロール状に回巻された記録媒体を保持し、当該記録媒体に対して印字をおこなうプリンタに関する。
【背景技術】
【０００２】
ロール状に回巻された記録媒体に対して印字をおこなうプリンタにおいては、印字後に記録媒体を適当な長さで切断するカッター装置を備えたものがあった。このようなカッター装置には、たとえば固定刃と可動刃とが分離可能に配設され、固定刃に対して可動刃を摺動させることによって、固定刃と可動刃との間に位置づけられた記録媒体を切断するようにしたものがあった。
【０００３】
固定刃に対して可動刃を摺動させることによって記録媒体を切断する構成のカッター装置においては、固定刃と可動刃との間に記録媒体が挟み込まれ、可動刃の動作が規制されてロックされた状態、いわゆるカッタージャムが生じることがある。従来、このようなカッタージャムが生じた場合は、たとえば可動刃に連結されたギアを操作者が手動で回転させることによって可動刃を復動方向に戻すように動作させ、挟み込まれている記録媒体を取り除くことによって、可動刃がロックされた状態を解除するようにしていた。
【０００４】
また、従来、このようなカッタージャムが生じた場合の対策が施された各種の技術があった。具体的には、従来、たとえば用紙を切り離すためのカッターと、カッターを往復動させる駆動機構と、駆動機構に動力を供給する駆動モータと、カッターの切断動作を予め設定された時間との関係で監視することにより該カッターのロック状態を検出するロック検出手段と、ロック検出手段によりカッターのロック状態が検出されたとき、駆動モータを逆転させてカッターのロック状態を解除するように制御する制御手段と、を具備したことを特徴とするオートカッター装置があった（たとえば、下記特許文献１を参照。）。
【０００５】
また、従来、たとえばベースフレームに開閉自在に取り付けられたアッパーフレームと、該アッパーフレームに設けられた可動刃ユニットと、該可動刃ユニットに駆動源からの駆動力を伝達するための駆動機構とを備えたカッター装置において、可動刃ユニットをアッパーフレームに対して変位可能に取り付けるとともに、アッパーフレームが閉じた状態から開いた状態へ遷移することを許可する開閉レバーと、該開閉レバーに連動して可動刃ユニットを位置固定して駆動機構に連結するか、可動刃ユニットの位置固定を解除して可動刃ユニットと駆動機構との連結を解除するカッタロックレバーと、開閉レバーに連動してアッパーフレームを閉じた状態でラッチするか解除するラッチレバーとを含むカッタロック機構を設け、開閉レバーを操作することによってアッパーフレームがラッチレバーによるラッチが解除され開いた状態へと遷移する以前に、アッパーフレームが閉じた状態で、カッタロックレバーによる可動刃ユニットの位置固定が解除され可動刃ユニットと駆動機構との連結が解除されるようにしたことを特徴とするカッター装置があった（たとえば、下記特許文献２を参照。）。
【０００６】
また、従来、たとえば用紙収納部、用紙搬送路およびこの用紙搬送路を搬送される用紙に印字をおこなう印字機構を有するプリンタ本体と、このプリンタ本体に、用紙収納部を閉じるよう回動自在に、かつ、プリンタ本体に係脱自在に取り付けられた本体カバーと、用紙搬送路における印字機構の下流側において用紙をカットする用紙カッター機構とを備えたプリンタにおいて、用紙カッター機構は、プリンタ本体に設けられた固定刃と、本体カバーに、当該本体カバーが閉状態において用紙搬送路を挟んで固定刃に対向し、かつ、固定刃に対して往復動自在に設けられ、往動時に、固定刃における用紙搬送路の下流側であって本体カバーの開側に重畳することにより、固定刃と協同して用紙をカットする可動刃と、この可動刃を往復動させる駆動手段とを備えることを特徴とするプリンタがあった（たとえば、下記特許文献３を参照。）。
【先行技術文献】
【特許文献】
【０００７】
【特許文献１】特公平７−１２１５１４号公報
【特許文献２】特許第４１７４４８９号公報
【特許文献３】特許第３８００８９１号公報
【発明の概要】
【発明が解決しようとする課題】
【０００８】
しかしながら、上述した従来の技術では、可動刃がロックされた状態が解除されるまで、可動刃に連結されたギアを操作者が手動で回転させなくてはならず、カッタージャムを解除するまでに時間がかかってしまうという問題があった。
【０００９】
また、上述した特許文献１に記載された従来の技術では、カッタージャムが生じている状態は、固定刃と可動刃との間に記録媒体が挟み込まれ、往動も復動もできないような状態で可動刃がロックされているため、駆動モータを逆転させても可動刃（カッター）が動作せず、カッタージャムを解除することができないという問題があった。
【００１０】
また、上述した特許文献２に記載された従来の技術では、可動刃がカバー（アッパーフレーム）に設けられており、当該可動刃を動作させる駆動源がアッパーフレームとは別体とされたベースフレームに設けられているため、駆動源の駆動力を可動刃に伝達するためのギア列などの駆動機構が複雑化し、部品点数が増加する傾向にあり、装置全体が大型化するという問題があった。
【００１１】
また、上述した特許文献３に記載された従来の技術では、カッタージャムが発生し、可動刃が突出したままの状態であってもカバーが開く構造になっているため、操作者の手などに可動刃が触れて怪我をする危険性があるという問題があった。
【００１２】
この発明は、上述した従来技術による問題点を解消するため、プリンタの使用者の安全性を確保するとともに、カッタージャムを容易かつ確実に解除することができるプリンタを提供することを目的とする。
【課題を解決するための手段】
【００１３】
上述した課題を解決し、目的を達成するため、この発明にかかるプリンタは、記録媒体収納部と、前記記録媒体収納部から搬送される記録媒体に印字をおこなう印字部を有するプリンタ本体と、前記プリンタ本体に回動自在に取り付けられ、前記記録媒体収納部を覆うカバー部と、前記印字部に対して記録媒体搬送方向の下流側であって、前記カバー部に取り付けられた固定刃と、前記カバー部が閉状態において前記固定刃と対峙するとともに前記固定刃に対して往復動自在に設けられ、往動する際に前記固定刃の記録媒体搬送方向の下流側と重畳することにより、前記固定刃との間に挿入された記録媒体を前記固定刃と共働して切断する可動刃と、前記可動刃を往復動させる可動刃駆動手段と、前記可動刃と前記可動刃駆動手段と前記可動刃を収納する収納部とからなり、前記プリンタ本体側に設けられた可動刃ユニットと、を備えたプリンタにおいて、前記可動刃が前記収納部から突出した状態で停止した場合に、操作部が操作されることによって前記可動刃駆動手段が突出した前記可動刃を前記収納部へ収納する前に、前記固定刃と突出した前記可動刃との対峙する間隔を広げる機構を備えたことを特徴とする。
【００１４】
この発明によれば、可動刃が収納部から突出した位置で停止した状態で操作部が操作された場合、可動刃駆動手段が突出した可動刃を収納部へ収納する前に、固定刃と突出した可動刃との対峙する間隔を広げることにより、可動刃が動作できる分の余裕を確保することができる。
【００１５】
これによって、可動刃が収納部から突出した位置で停止した状態で操作部が操作された場合、固定刃と突出した可動刃との対峙する間隔を広げた後に、突出した可動刃を可動刃駆動手段によって収納部へ確実に収納してからカバー部を開くことができる。
【００１６】
また、この発明にかかるプリンタは、上記の発明において、前記可動刃ユニットを記録媒体搬送方向の下流側に付勢する付勢部材と、前記可動刃が前記固定刃と重畳する状態で前記可動刃ユニットを前記プリンタ本体に係止する可動刃ユニットロック機構を備え、前記操作部を操作することによって、前記可動刃ユニットロック機構を解除するよう構成されたことを特徴とする。
【００１７】
この発明によれば、可動刃ユニットが記録媒体搬送方向の下流側に付勢されているため、操作部の操作にともなって可動刃ユニットロック機構による可動刃ユニットのロックを解除すると、当該解除に連動して可動刃ユニットが記録媒体搬送方向の下流側に移動し、可動刃が動作できる分の余裕を確保することができる。
【００１８】
これによって、可動刃ユニットの取り外し作業の容易化のために既に設けられている可動刃ユニットの付勢部材を利用して、可動刃が動作できる分の余裕を確保することができ、構成の複雑化をともなうことなく、突出した可動刃を可動刃駆動手段によって収納部へ確実に収納してからカバー部を開くことができる。
【００１９】
また、この発明にかかるプリンタは、上記の発明において、前記カバー部を閉じた状態で前記プリンタ本体に係止するカバー部ロック機構を備え、前記操作部を操作することによって、前記カバー部ロック機構を解除するよう構成されたことを特徴とする。
【００２０】
この発明によれば、操作部の操作にともなうカバー部ロック機構によるロックの解除に連動して固定刃と突出した可動刃との対峙する間隔を広げることができるので、カバー部を開くためのカバー部ロック機構によるロックの解除に際しては、可動刃を確実に収納部に収納した状態でカバー部を開くことができる。
【００２１】
これによって、プリンタの操作者に対してカバー部を開ける操作をおこなわせるだけで、可動刃が動作できる分の余裕を確保することができ、プリンタの操作者に格別意識させることなく、突出した可動刃を可動刃駆動手段によって収納部へ確実に収納してからカバー部を開くことができる。
【００２２】
また、この発明にかかるプリンタは、上記の発明において、前記可動刃ユニットが、前記プリンタ本体から着脱可能に設けられたことを特徴とする。
【００２３】
この発明によれば、使用にともない劣化する可動刃や駆動手段などの部品をユニット化した可動刃ユニット単位での交換ができるので、劣化にともなう可動刃や可動刃駆動手段の交換作業の容易化を図ることができる。
【発明の効果】
【００２４】
この発明にかかるプリンタによれば、カッタージャムが発生した場合にも、突出した可動刃を可動刃駆動手段によって収納部へ確実に収納してからカバー部を開くことができるので、プリンタの使用者の安全性を確保するとともに、カッタージャムを容易かつ確実に解除することができるという効果を奏する。
【図面の簡単な説明】
【００２５】
【図１】この発明にかかる実施の形態のプリンタ装置を示す説明図（その１）である。
【図２】この発明にかかる実施の形態のプリンタ装置を示す説明図（その２）である。
【図３】この発明にかかる実施の形態のプリンタ装置を示す説明図（その３）である。
【図４】この発明にかかる実施の形態のプリンタ装置を示す説明図（その４）である。
【図５】この発明にかかる実施の形態のプリンタ装置が備えるプリンタを示す説明図（その１）である。
【図６】この発明にかかる実施の形態のプリンタ装置が備えるプリンタを示す説明図（その２）である。
【図７】この発明にかかる実施の形態のプリンタ装置が備えるプリンタを示す説明図（その３）である。
【図８】この発明にかかる実施の形態のプリンタ装置が備えるプリンタを示す説明図（その４）である。
【図９】カッタージャムの解除作業を示す説明図（その１）である。
【図１０】カッタージャムの解除作業を示す説明図（その２）である。
【発明を実施するための形態】
【００２６】
以下に添付図面を参照して、この発明にかかるプリンタの好適な実施の形態を詳細に説明する。この実施の形態においては、この発明にかかるプリンタを備えたプリンタ装置への適用例を示す。
【００２７】
（実施の形態）
まず、この発明にかかる実施の形態のプリンタ装置について説明する。図１、図２、図３および図４は、この発明にかかる実施の形態のプリンタ装置を示す説明図である。図１、図２および図３においては、この発明にかかる実施の形態のプリンタ装置の外観を示している。図４においては、この発明にかかる実施の形態のプリンタ装置を、図１におけるＡ−Ａ線に沿って切断した断面を示している。
【００２８】
図１、図２、図３および図４において、この発明にかかる実施の形態のプリンタ装置１００は、略箱形状をなすケーシング１０１を備えている。ケーシング１０１の内側には、プリンタ２０１が設けられている。
【００２９】
ケーシング１０１の一面には操作パネル１０２が設けられており、操作パネル１０２にはプリンタ装置１００に対する各種の操作を受け付ける操作キー１０８、プリンタ装置１００の状態を示すＬＥＤランプ１０９およびプリンタ装置１００の状態を文字または記号によって示す液晶表示部１１０が設けられている。また、ケーシング１０１の別の一面にはプリンタ装置１００の電源のＯＮ／ＯＦＦを切り替える電源スイッチ１０３が設けられている。
【００３０】
ケーシング１０１は、プリンタ２０１を保持するケーシング本体１０４と、当該ケーシング本体１０４に連結されたプリンタカバー１０５とによって構成されている。プリンタカバー１０５は、ケーシング本体１０４の内部を開放可能に閉塞するようにケーシング本体１０４に連結されている。
【００３１】
プリンタカバー１０５は、ケーシング１０１の一面に設けられたカバーオープンレバー１０７が操作された場合に、ケーシング本体１０４の内部を開放するように開く。この実施の形態においては、カバーオープンレバー１０７によって操作部を実現することができる。
【００３２】
ケーシング１０１においては、プリンタカバー１０５によってケーシング本体１０４の内部を閉塞した状態で、ケーシング本体１０４とプリンタカバー１０５との間に形成される隙間によって記録媒体排出口１０６が形成される。記録媒体排出口１０６は、ケーシング１０１の内部と外部とを連通し、ケーシング１０１内に収容されたプリンタ２０１が備えた印字部４０１によって印字がなされた記録媒体２０２をケーシング１０１の外部に排出する。
【００３３】
印字部４０１は、記録媒体収納部３０１から記録媒体排出口１０６に搬送される記録媒体２０２に対して文字などの印字をおこなう。印字部４０１は、文字を印字するものに限らず、記号や所定のロゴマークやその他の画像など、文字以外を印字することができる。この実施の形態において、印字部４０１はサーマル方式の印字をおこなう。
【００３４】
印字部４０１は、プリントヘッド４０１ａとプラテン４０１ｂとを備えている。プリントヘッド４０１ａおよびプラテン４０１ｂは、記録媒体搬送経路４０４を間にして対向配置されている。記録媒体搬送経路４０４は、プリンタカバー１０５によってケーシング本体１０４の内部を閉塞した状態において、ケーシング１０１内に形成される。記録媒体搬送経路４０４は、記録媒体収納部３０１から印字部４０１を介して、記録媒体収納部３０１と記録媒体排出口１０６とを連通する。
【００３５】
たとえばサーマル方式の印字をおこなう印字部４０１は、サーマル方式のプリントヘッド（サーマルヘッド）４０１ａとプラテン４０１ｂとによって構成することができる。サーマル方式のプリントヘッド（サーマルヘッド）４０１ａは、たとえば記録媒体２０２の幅方向にライン状に配列された複数の発熱素子を備え、各発熱素子に対して選択的に通電し、各発熱素子を選択的に発熱させることによって文字などの印字をおこなう。
【００３６】
このように、サーマル方式の印字をおこなう印字部４０１を備えたプリンタ２０１においては、感熱発色性を備えた記録媒体２０２を用いる。サーマル方式のプリントヘッド４０１ａおよび当該プリントヘッド４０１ａの制御方法については、公知の各種技術を用いて容易に実現可能であるため説明を省略する。
【００３７】
プラテン４０１ｂは、記録媒体２０２の幅方向（図４における紙面表裏方向）を軸心方向とする略円柱形状をなす。プラテン４０１ｂの軸の一端には、ギア２０３が取り付けられている。このギア２０３は、ケーシング本体１０４に設けられたモータＭの駆動力が伝達されることによって回転する。プラテン４０１ｂは、ギア２０３の回転にともなって回転する。モータＭとギア２０３とは、ギア列５０６（図５、図６あるいは図７を参照）を介して連結されている。
【００３８】
プラテン４０１ｂは、記録媒体搬送経路４０４中を搬送される記録媒体２０２を間にしてプリントヘッド４０１ａに対向し、印字に際してプリントヘッド４０１ａによって印字圧が加えられる記録媒体２０２を裏面側から支持する。また、プラテン４０１ｂは、軸心回りに回転することによって、印字がなされた記録媒体２０２を、記録媒体収納部３０１側から記録媒体排出口１０６側へ搬送する。
【００３９】
ケーシング１０１の内側には、記録媒体２０２を収納する記録媒体収納部３０１が設けられている。記録媒体２０２は、長尺状をなし、巻芯の周囲において長手方向の一端側から回巻された状態で記録媒体収納部３０１に収納されている。記録媒体収納部３０１は、プリンタカバー１０５が開き方向に移動した場合に、外部に対して開放される。記録媒体収納部３０１を開放した状態においては、ロール状に回巻された記録媒体２０２を記録媒体収納部３０１に収納したり、記録媒体収納部３０１に収納された記録媒体２０２を記録媒体収納部３０１から取り出したりすることができる。
【００４０】
記録媒体収納部３０１は、プリンタ２０１の本体フレーム５０３（たとえば図５や図６を参照）に保持された箱状部材３０２によって実現されている。箱状部材３０２は、略半円形状に湾曲した底面部を備え、底面部に対向する一面が開放された形状をなしている。プリンタカバー１０５には、箱状部材３０２に対向し、プリンタカバー１０５から箱状部材３０２側に突出する収納部用リブ３０３が設けられている。
【００４１】
収納部用リブ３０３は、プリンタカバー１０５が閉じられた状態において、箱状部材３０２とともに断面が略円形をなす記録媒体収納部３０１を形成する。記録媒体収納部３０１の底面部は、記録媒体収納部３０１に収容される、ロール状に回巻された記録媒体２０２の最大外径と同等以上の曲率で湾曲している。ロール状に回巻された記録媒体２０２は、底面部によって支持される。
【００４２】
記録媒体収納部３０１は、プリンタ２０１が第１の設置状態にあるときに記録媒体２０２を保持する第１の記録媒体保持部４０２と、プリンタ２０１が第１の設置状態とは異なる第２の設置状態にあるときに記録媒体２０２を保持する第２の記録媒体保持部４０３とを備えている。この実施の形態において、第１の記録媒体保持部４０２および第２の記録媒体保持部４０３は、ともに、箱状部材３０２が備える底面部の一部によって実現することができる。
【００４３】
この実施の形態においては、プリンタ装置１００における記録媒体排出口１０６が鉛直方向上側を向いて設置される状態を第１の設置状態とし、プリンタ装置１００における記録媒体排出口１０６が鉛直方向に交差する方向すなわちプリンタ２０１の利用者に対して正面側に向いて設置される状態を第２の設置状態とする。
【００４４】
プリンタ２０１が第１の設置状態にある場合、ロール状に回巻された記録媒体２０２は、当該記録媒体２０２の消費にともない、自重によって第１の記録媒体保持部４０２がなす曲面の下端に収まるように移動する。プリンタ２０１が第２の設置状態にある場合、ロール状に回巻された記録媒体２０２は、当該記録媒体２０２の消費にともない、自重によって第２の記録媒体保持部４０３がなす曲面の下端に収まるように移動する。
【００４５】
記録媒体収納部３０１に収納されたロール状に回巻された記録媒体２０２は、当該記録媒体２０２を記録媒体排出口１０６に向かって繰り出すようなプラテン４０１ｂの回転によって、外周側から引き出され、印字部４０１に供給される。ロール状に回巻された記録媒体２０２は、外周側から引き出されることによって記録媒体収納部３０１において回転する。ロール状に回巻された記録媒体２０２は、記録媒体収納部３０１において、記録媒体２０２がロール状に回巻される巻芯部分を中心として回転する。
【００４６】
このため、記録媒体収納部３０１は、ロール状に回巻された記録媒体２０２が当該記録媒体２０２の巻芯部分を中心として回転することが可能な状態で、ロール状に回巻された記録媒体２０２を収納し、保持している。ロール状に回巻された記録媒体２０２は、記録媒体収納部３０１に収納された場合に、設置状態に応じて、第１の記録媒体保持部４０２あるいは第２の記録媒体保持部４０３によって鉛直方向下側から支持される。
【００４７】
プリンタ２０１は、記録媒体収納部３０１に収納された、ロール状に回巻された記録媒体２０２の残量を検知（検出）する残量検知機構を備えている。残量検知機構は、第１の記録媒体保持部４０２に保持されたロール状に回巻された記録媒体２０２の残量を検知する第１の検知部と、第２の記録媒体保持部４０３に保持されたロール状に回巻された記録媒体２０２の残量を検知する第２の検知部と、を備えている。この実施の形態のプリンタ２０１において、第１の検知部および第２の検知部は、いずれか一方のみの検知が有効となるように設けられている。
【００４８】
また、プリンタ２０１は、第１の検知部あるいは第２の検知部のいずれか一方の検知を有効とするように、残量検知機構の状態を切り替える切り替え操作を受け付ける切り替えレバー４１０を備えている。第１の検知部あるいは第２の検知部のいずれを有効とするかは、プリンタ装置１００すなわちプリンタ２０１の設置状態に応じて、プリンタ装置１００の利用者によって決定される。
【００４９】
プリンタ装置１００の利用者は、プリンタ装置１００すなわちプリンタ２０１の設置状態に応じて切り替えレバー４１０を操作して、第１の検知部あるいは第２の検知部のいずれかを有効とするように残量検知機構の状態を切り替える。また、プリンタ装置１００においては、切り替えレバー４１０を操作することによって、第１の検知部および第２の検知部の両方の検知を無効とするように残量検知機構の状態を切り替えることができる。
【００５０】
残量検知機構は、ケーシング本体１０４の内側であって、記録媒体収納部３０１の外側に設けられている。残量検知機構における第１の検知部は、記録媒体収納部３０１に設けられた第１の窓部４０６ａを介して、第１の記録媒体保持部４０２に保持されたロール状に回巻された記録媒体２０２の残量を検知する。
【００５１】
残量検知機構における第２の検知部は、記録媒体収納部３０１に設けられた第２の窓部４０６ｂを介して、第２の記録媒体保持部４０３に保持されたロール状に回巻された記録媒体２０２の残量を検知する。図４においては、第１の検知部が有効とされている状態を示している。
【００５２】
具体的には、残量検知機構は、記録媒体２０２の消費にともなってロール状に回巻された記録媒体２０２の巻き数が減り、これにともなって記録媒体２０２の直径が小さくなるために巻芯部分が移動することを利用して、巻芯部分の位置を検知することによって記録媒体２０２の残量が所定量以下になったか否かを検知する
【００５３】
記録媒体搬送経路４０４において、印字部４０１よりも記録媒体排出口１０６側すなわち記録媒体搬送方向の下流側には、カッター機構４０５が設けられている。カッター機構４０５は、位置が固定された固定刃４０５ａと、記録媒体搬送経路４０４を間にして固定刃４０５ａに対峙する位置に設けられた可動刃４０５ｂと、を備えている。固定刃４０５ａは、プリンタカバー１０５に設けられている。
【００５４】
可動刃４０５ｂは、プリンタ２０１のカバー部（たとえば図５や図６を参照）が閉じた状態において、固定刃４０５ａと対峙するとともに、固定刃４０５ａに対して往復動自在に設けられている。可動刃４０５ｂは、往復動する際に、自身の記録媒体搬送方向における上流側の面を、固定刃４０５ａの記録媒体搬送方向における下流側の面に擦りつけるようにして摺動する。
【００５５】
これにより、可動刃４０５ｂは、当該可動刃４０５ｂの移動方向が往動方向から復動方向に変化する際に、記録媒体搬送方向において固定刃４０５ａの下流側と重畳する。可動刃４０５ｂは、往復動する際に、上記のように摺動することによって、固定刃４０５ａとの間に挿入された記録媒体を、当該固定刃４０５ａと共働して切断する。これにより、印字部４０１において印字がなされた記録媒体２０２を、カッター機構４０５によって任意の長さでカットすることができる。
【００５６】
可動刃４０５ｂは、図示を省略する可動刃駆動用のモータの駆動力が伝達されることによって往復動する。この実施の形態においては、可動刃駆動用のモータによって可動刃駆動手段を実現することができる。可動刃４０５ｂおよび可動刃駆動用のモータは、可動刃４０５ｂを収納する収納部４０７ａとともにユニット化され、可動刃ユニット４０７を構成している。可動刃ユニット４０７における収納部４０７ａは、たとえば、可動刃４０５ｂの突出を許容する開口を備え、可動刃４０５ｂを収納可能な空間を形成する略箱状の部材によって実現することができる。
【００５７】
可動刃ユニット４０７は、プリンタ２０１の本体フレーム５０３に設けられている。また、可動刃ユニット４０７は、プリンタ２０１の本体フレーム５０３に対して、取り外し可能（着脱可能）に設けられている。これにより、可動刃４０５ｂが摩耗した場合や可動刃４０５ｂを移動させるモータなどの機構部が劣化した場合は、可動刃ユニット４０７を交換することによって、可動刃４０５ｂおよびモータを容易に交換することができる。
【００５８】
カッター機構４０５は、記録媒体２０２を切断した後、固定刃４０５ａから離反する方向に可動刃４０５ｂを移動させ、固定刃４０５ａと可動刃４０５ｂとの間に隙間を形成する。この状態でプラテン４０１ｂを回転させることによって、記録媒体収納部３０１に収納された記録媒体２０２が記録媒体排出口１０６に向かって繰り出される。これにより、次回の印字が可能な状態とされる。
【００５９】
つぎに、この発明にかかる実施の形態のプリンタ装置が備えるプリンタについて説明する。図５、図６、図７および図８は、この発明にかかる実施の形態のプリンタ装置が備えるプリンタを示す説明図である。図５においては、この発明にかかる実施の形態のプリンタを斜め方向から見た場合の外観を示している。図６においては、この発明にかかる実施の形態のプリンタを、一部を分解して斜め方向から見た場合の外観を示している。図７においては、この発明にかかる実施の形態のプリンタを、図５における矢印Ｂ方向から見た側面を示している。図８においては、この発明にかかる実施の形態のプリンタを、図５における矢印Ｃ方向から見た側面を示している。
【００６０】
図５、図６、図７および図８において、プリンタ２０１は、ケーシング１０１の内側に設けられ、プリンタ本体５０１とカバー部５０２とを備えている。プリンタ本体５０１は、ケーシング本体１０４を支持する本体フレーム５０３を備えている。カバー部５０２は、本体フレーム５０３に回動自在に取り付けられており、本体フレーム５０３に対して回動することによって記録媒体収納部３０１を開放可能に覆う。上記のプリンタカバー１０５は、カバー部５０２と連動して記録媒体収納部３０１を開放可能に閉塞する。カバー部５０２は、付勢機構５０４によって記録媒体収納部３０１を開放する方向に付勢されている。
【００６１】
上記のカバーオープンレバー１０７は、軸部８０１を介して本体フレーム５０３に連結されている。カバーオープンレバー１０７は、軸部８０１を中心として本体フレーム５０３に沿って回動可能に設けられている。カバーオープンレバー１０７は、カバー部５０２によって本体フレーム５０３を覆った状態、すなわちプリンタカバー１０５によってケーシング本体１０４の内部を閉塞した状態において、カバー部５０２に設けられたロック用のボス８０２に係合する切り欠き部８０３を備えている。
【００６２】
カバーオープンレバー１０７は、カバー部５０２に設けられたボス８０２に、カバーオープンレバー１０７の切り欠き部８０３が係合している状態において、付勢機構５０４による付勢力に抗して、カバー部５０２が記録媒体収納部３０１を閉塞する位置に当該カバー部５０２を位置付ける。これにより、カバー部５０２を閉じた状態で当該カバー部５０２をプリンタ本体５０１に係止することができる。カバーオープンレバー１０７は、コイルスプリング８１０によって、カバー部５０２に設けられたロック用のボス８０２に切り欠き部８０３が係合する方向に付勢されている。
【００６３】
コイルスプリング８１０は、一端を本体フレーム５０３に係止し、他端をカバーオープンレバー１０７に係止されている。これによって、カバーオープンレバー１０７は、カバーオープンレバー１０７の切り欠き部８０３がカバー部５０２に設けられたロック用のボス８０２に係合する方向に付勢される。
【００６４】
カバー部５０２が記録媒体収納部３０１を開放する方向に付勢されているため、カバーオープンレバー１０７の切り欠き部８０３とカバー部５０２に設けられたボス８０２とを安定して係合させることができ、カバー部５０２の位置を安定化することができる。この実施の形態においては、カバー部５０２に設けられたボス８０２、カバーオープンレバー１０７の切り欠き部８０３、およびカバーオープンレバー１０７によってカバー部ロック機構８０４が構成されている。
【００６５】
カバーオープンレバー１０７が軸部８０１を中心として回動し、カバーオープンレバー１０７とボス８０２との係合が解除された場合、カバー部５０２は付勢機構５０４による付勢力によって付勢され、記録媒体収納部３０１を開放する方向に回動する。本体フレーム５０３には、カバー部５０２が記録媒体収納部３０１を開放する方向（以下、適宜「開き方向」という）に回動したことを検出するカバーオープンスイッチ８０５が設けられている。カバーオープンスイッチ８０５は、カバー部５０２が開き方向に回動した場合に出力が変化する。
【００６６】
プリンタ２０１は、プリンタ２０１が備える各部を駆動制御する制御部（図示を省略する）を備えている。制御部は、プリンタ装置１００のケーシング１０１内に設けられ、たとえばＲＯＭやＲＡＭなどの各種のメモリとＣＰＵとによって構成されるマイクロコンピュータによって実現することができる。
【００６７】
制御部は、カバーオープンスイッチ８０５からの出力信号に基づいて、カバー部５０２が開き方向に回動したこと（以下、適宜「カバーオープン」という）を検出する。また、制御部は、モータＭや可動刃ユニット４０７が備える可動刃駆動用のモータなどを駆動制御する。
【００６８】
カバーオープンレバー１０７と本体フレーム５０３の外側の面との間には、カッターレバー５１０が設けられている。カッターレバー５１０は、カッターレバー５１０と本体フレーム５０３とを連結する軸部８０７を回動中心として回動可能に設けられている（図８を参照）。
【００６９】
カッターレバー５１０は、ケーシング本体１０４に設けられたボス８０２に、カバーオープンレバー１０７の切り欠き部８０３が係合している状態（以下、適宜「カバーロック状態」という）において、可動刃ユニット４０７の固定刃４０５ａに近い側面に設けられた突起８０８に係合する切り欠き部５１１を備えている。
【００７０】
カッターレバー５１０は、カッターレバー５１０の切り欠き部５１１が可動刃ユニット４０７に設けられた突起８０８に係合している状態において、可動刃ユニット４０７を、固定刃４０５ａと可動刃４０５ｂとが記録媒体２０２の切断のために共働可能な位置に位置付ける。
【００７１】
この実施の形態においては、カッターレバー５１０の切り欠き部５１１、可動刃ユニット４０７に設けられた突起８０８、およびカッターレバー５１０によって、可動刃ユニットロック機構５１２が構成されている。カッターレバー５１０は、コイルスプリング８１１によって、可動刃ユニット４０７に設けられた突起８０８に切り欠き部５１１が係合する方向に付勢されている。
【００７２】
コイルスプリング８１１は、一端を本体フレーム５０３に係止し、他端をカッターレバー５１０に係止されている。これによって、カッターレバー５１０は、カッターレバー５１０の切り欠き部５１１が可動刃ユニット４０７の突起８０８に係合する方向に付勢される。
【００７３】
可動刃ユニット４０７の固定刃４０５ａから離れた側面には、本体フレーム５０３に設けられた切り欠き部５０３ａに係合する突起８０９が設けられている。可動刃ユニット４０７は、突起８０９を本体フレーム５０３に設けられた切り欠き部５０３ａに係合させ、突起８０８をカッターレバー５０１に設けられた切り欠き部５１１に係合させることで本体フレーム５０３に固定される。
【００７４】
可動刃ユニット４０７は、板バネによって実現される付勢部材５０５によって、記録媒体２０２の搬送方向における下流側に付勢されている。これにより、カッターレバー５１０の切り欠き部５１１と可動刃ユニット４０７に設けられた突起８０８とを安定して係合させることができ、可動刃ユニット４０７の位置を安定化することができる。
【００７５】
カッターレバー５１０の切り欠き部５１１は、奥側に対して開放端側が記録媒体２０２の搬送方向における下流側に段を形成するように、２段の階段状になっている。これにより、カッターレバー５１０が軸部８０７を中心として、カッターレバー５１０の切り欠き部５１１と可動刃ユニット４０７の突起８０８との係合を解除する方向（以下、適宜「ユニットロック解除方向」という）にカッターレバー５１０が回動した場合、カッターレバー５１０の切り欠き部５１１と可動刃ユニット４０７の突起８０８との係合が完全に解除される前に、切り欠き部５１１と突起８０８との係合状態が変化して、可動刃ユニット４０７は、付勢部材５０５によって付勢されて記録媒体２０２の搬送方向における下流側に変位する。
【００７６】
可動刃ユニット４０７が記録媒体２０２の搬送方向における下流側に変位した状態では、収納部４０７ａから突出した状態の可動刃４０５ｂと固定刃４０５ａとが所定の間隔をもって対峙する。所定の間隔は、記録媒体２０２の切断のために共働可能な状態における固定刃４０５ａと可動刃４０５ｂとの位置関係よりも固定刃４０５ａと可動刃４０５ｂとの間隔が広くなっていればよく、記録媒体２０２の厚さよりも広い間隔であることが好ましい。
【００７７】
以下、固定刃４０５ａと可動刃４０５ｂとが記録媒体２０２の切断のために共働可能となる可動刃ユニット４０７の位置を第１の位置として説明する。また、以下、当該第１の位置よりも下流側において、収納部４０７ａから突出した状態の可動刃４０５ｂと固定刃４０５ａとが所定の間隔をもって対峙する可動刃ユニット４０７の位置を第２の位置として説明する。
【００７８】
カッターレバー５１０は、本体フレーム５０３において、カバーオープンレバー１０７が設けられている側と反対側にも設けられている。カッターレバー５１０は、本体フレーム５０３の両側において同様な形状をなし、軸部８０７を介して本体フレーム５０３に対して回動可能に連結されている。カッターレバー５１０とカッターレバー５１０とは、それぞれ独立して回動可能に設けられている。カッターレバー５１０は、上記のカッターレバー５１０と同様に、コイルスプリング８１１によって、突起８０８に係合する方向に付勢されている。
【００７９】
本体フレーム５０３において、カッターレバー５１０が設けられている側には、ギア２０３とモータＭとを連結するギア列５０６が設けられている。ギア列５０６は、モータＭの駆動軸に設けられたモータギア５０７と、モータギア５０７に連結された第１のギア５０８と、第１のギア５０８と一体に形成されてギア２０３と連結する第３のギア５０９と、を備えている。カッターレバー５１０は、プリンタ本体５０１において、ギア列５０６と本体フレーム５０３の外側の面との間に設けられている。
【００８０】
各カッターレバー５１０は、カバーオープンレバー１０７の回動に連動して回動可能に設けられている。各カッターレバー５１０は、カバーオープンレバー１０７が、切り欠き部８０３とボス８０２との係合を解除する方向すなわち開き方向に回動した場合に、当該カバーオープンレバー１０７の回動に連動して、切り欠き部５１１と突起８０８との係合を解除する方向に回動する。
【００８１】
カバーオープンレバー１０７は、当該カバーオープンレバー１０７を開き方向に回動させる外力から解放された場合に、カバーオープンレバー１０７を付勢するコイルスプリング８１０の付勢力によって開き方向とは反対方向に回動する。各カッターレバー５１０は、カバーオープンレバー１０７が回動することによって加えられる外力から解放された場合に、カッターレバー５１０を付勢するコイルスプリング８１１の付勢力によって切り欠き部５１１と突起８０８とが係合する方向に回動する。
【００８２】
カバーオープンレバー１０７の開き方向への回動範囲は、連動して回動するカッターレバー５１０と可動刃ユニット４０７の突起８０８の係合が外れない範囲に設定されている。
【００８３】
可動刃ユニット４０７を本体フレーム５０３から取り外す際には、二つのカッターレバー５１０をそれぞれユニットロック解除方向へ回動させて、カッターレバー５１０の切り欠き部５１１と可動刃ユニット４０７の突起８０８との係合を解除する。可動刃ユニット４０７の両側において切り欠き部５１１と突起８０８との係合が解除された場合、可動刃ユニット４０７は付勢部材５０５によって付勢されて本体フレーム５０３から浮き上がるように変位する。これによって可動刃ユニット４０７がつかみやすくなるので、可動刃ユニット４０７の交換作業に際しての当該交換作業をおこなう作業者の負担軽減を図ることができる。
【００８４】
このような構成とすることによって、作業者がカバーオープンレバー１０７を開き方向へ回動させた際に、意図せずカッターレバー５１０の切り欠き部５１１と可動刃ユニット４０７の突起８０８との係合が解除されて可動刃ユニット４０７が本体フレーム５０３から外れてしまうことを防止できる。
【００８５】
また、このような構成とすることによって、工具を使用することなく可動刃ユニット４０７を、ワンタッチ操作で交換することができる。これによって、可動刃ユニット４０７の交換作業に際しての作業の容易化を図り、当該交換作業をおこなう作業者の負担軽減を図ることができる。
【００８６】
また、可動刃４０５ｂや可動刃駆動用のモータなどを可動刃ユニット４０７の単位で取り外し、交換できるようにしたので、可動刃ユニット４０７を取り外した後に、可動刃ユニット４０７の直下に配置されていたプリントヘッド４０１ａに対する作業の容易化を図り、当該プリントヘッド４０１ａの交換作業の容易化、および当該交換作業をおこなう作業者の負担軽減を図ることができる。
【００８７】
カッター機構４０５においては、固定刃４０５ａに対して可動刃４０５ｂを摺動させることによって記録媒体２０２を切断するため、固定刃４０５ａと可動刃４０５ｂとの間に記録媒体２０２が挟み込まれ、可動刃４０５ｂの動作が規制されてロックされた状態、いわゆるカッタージャムが生じることがある。
【００８８】
カッタージャムが生じた状態では、固定刃４０５ａと可動刃４０５ｂとの間に挟み込まれた記録媒体２０２によって、固定刃４０５ａおよび可動刃４０５ｂの双方が互いに押し合うような状態となり、可動刃４０５ｂが往動も復動もできないような状態でロックされている。このような状態では、駆動モータを駆動しても可動刃４０５ｂ（カッター）が動作できないため、操作者がプリンタカバー１０５を開けてカッタージャムを解除する作業をおこなう。
【００８９】
（カッタージャムの解除作業）
つぎに、この発明にかかる実施の形態のプリンタ２０１におけるカッタージャムの解除作業時のプリンタの動作について説明する。図９および図１０は、カッタージャムの解除作業を示す説明図である。カッタージャムの解除作業については、図８、図９および図１０を用いて説明する。
【００９０】
図８、図９および図１０において、カッタージャムの解除作業に際しての操作者は、まず、カバーオープンレバー１０７を操作して、カバーオープンレバー１０７を開き方向に回動させる。カバーオープンレバー１０７が開き方向に回動することによって、カバーオープンスイッチ８０５の出力が変化する。制御部は、カバーオープンスイッチ８０５の出力が変化したことをもってカバー部５０２が開いていることを検出する。
【００９１】
この状態から、さらに、カバーオープンレバー１０７が開き方向に回動すると、ケーシング本体１０４に設けられたボス８０２と、カバーオープンレバー１０７の切り欠き部８０３との係合が解除され、カバー部５０２が付勢部材５０４によって付勢されて記録媒体収納部３０１を開放する方向に回動する。
【００９２】
また、カバーオープンレバー１０７が開き方向に回動することによって、当該カバーオープンレバー１０７の開き方向への回動にともない、各カッターレバー５１０がそれぞれユニットロック解除方向へ回動する。各カッターレバー５１０がユニットロック解除方向へ回動することにより、各カッターレバー５１０の切り欠き部５１１と可動刃ユニット４０７の突起８０８との係合状態が、切り欠き部５１１に設けられた２段の階段状によって変化し、可動刃ユニット４０７が第１の位置から下流側に移動して、第２の位置に位置付けられる。
【００９３】
このとき、可動刃ユニット４０７は、付勢部材５０５によって付勢されて可動刃ユニット４０７の固定刃４０５ａから離れた側面に設けられた突起５０９と本体フレーム５０３に設けられた切り欠き部５０３ａの係合部を支点とし、固定刃４０５ａに近い側が下流側に回動して第１の位置から第２の位置に移動する。
【００９４】
制御部は、カバーオープンスイッチ８０５の出力変化を検出した場合に、可動刃ユニット４０７におけるモータを、当該モータの駆動によって可動刃４０５ｂが収納部４０７ａに収納される方向に駆動制御する。可動刃ユニット４０７が第２の位置に位置付けられている状態においては、収納部４０７ａから突出した状態の可動刃４０５ｂと固定刃４０５ａとが所定の間隔をもって対峙しているため、カッタージャムが生じた場合にも、可動刃４０５ｂを確実に収納部４０７ａに収納することができる。
【００９５】
ここに、カバーオープンレバー１０７が操作されることによって可動刃駆動用のモータが突出した可動刃４０５ｂを収納部４０７ａへ収納する前に、固定刃４０５ａと突出した可動刃４０５ｂとの対峙する間隔を広げる機構が実現されている。すなわち、この実施の形態においては、可動刃ユニット４０７、付勢部材５０５、カッターレバー５１０、カッターレバー５１０の切り欠き部５１１、カバーオープンスイッチ８０５、可動刃ユニット４０７の突起８０８、可動刃駆動用のモータおよび制御部によって、上記の間隔を広げる機構が実現することができる。
【００９６】
このように、この実施の形態のプリンタ２０１によれば、カバーオープンレバー１０７が開き方向に操作された場合は、ケーシング本体１０４に設けられたボス８０２と、カバーオープンレバー１０７の切り欠き部８０３との係合が解除されてカバー部５０２が開き方向に回動する前に、必ず、可動刃４０５ｂを収納部４０７ａに収納することができる。これによって、可動刃４０５ｂが収納部４０７ａから突出した状態のままカバー部５０２が開かれることがないので、操作者が可動刃４０５ｂに触れることを確実に防止することができる。
【００９７】
以上説明したように、この実施の形態のプリンタ２０１は、記録媒体収納部３０１と、記録媒体収納部３０１から搬送される記録媒体２０２に印字をおこなう印字部４０１を有するプリンタ本体５０１と、プリンタ本体５０１に回動自在に取り付けられ、記録媒体収納部３０１を覆うカバー部５０２と、印字部４０１に対して記録媒体搬送方向の下流側であって、カバー部５０２に取り付けられた固定刃４０５ａと、カバー部５０２が閉状態において固定刃４０５ａと対峙するとともに固定刃４０５ａに対して往復動自在に設けられ、往動する際に固定刃４０５ａの記録媒体搬送方向の下流側と重畳することにより、固定刃４０５ａとの間に挿入された記録媒体２０２を固定刃４０５ａと共働して切断する可動刃４０５ｂと、可動刃４０５ｂを往復動させる可動刃駆動用のモータと、可動刃４０５ｂと可動刃駆動用のモータと可動刃４０５ｂを収納する収納部４０７ａとからなり、プリンタ本体５０１側に設けられた可動刃ユニット４０７と、を備えたプリンタ２０１において、可動刃４０５ｂが収納部４０７ａから突出した状態で停止した場合に、カバーオープンレバー１０７が操作されることによって可動刃駆動用のモータの駆動によって突出した可動刃４０５ｂを収納部４０７ａへ収納する前に、固定刃４０５ａと突出した可動刃４０５ｂとの対峙する間隔を広げる機構を備えたことを特徴としている。
【００９８】
この実施の形態のプリンタ２０１によれば、可動刃４０５ｂが収納部４０７ａから突出した位置で停止した状態でカバーオープンレバー１０７が操作された場合、突出した可動刃４０５ｂを収納部４０７ａへ収納する前に、固定刃４０５ａと突出した可動刃４０５ｂとの対峙する間隔を広げることにより、可動刃４０５ｂが動作できる分の余裕を確保することができる。
【００９９】
これによって、可動刃４０５ｂが収納部４０７ａから突出した位置で停止した状態でカバーオープンレバー１０７が操作された場合、固定刃４０５ａと突出した可動刃４０５ｂとの対峙する間隔を広げた後に、突出した可動刃４０５ｂを可動刃駆動手段によって収納部４０７ａへ確実に収納してからカバー部５０２を開くことができる。
【０１００】
また、この実施の形態のプリンタ２０１は、可動刃ユニット４０７を記録媒体２０２の搬送方向における下流側に付勢する付勢部材５０５と、可動刃４０５ｂが固定刃４０５ａと重畳する状態で可動刃ユニット４０７をプリンタ本体５０１に係止する可動刃ユニットロック機構５１２を備え、カバーオープンレバー１０７を操作することによって、可動刃ユニットロック機構５１２を解除するよう構成されたことを特徴としている。
【０１０１】
この実施の形態のプリンタ２０１によれば、可動刃ユニット４０７が記録媒体２０２の搬送方向における下流側に付勢されているため、カバーオープンレバー１０７の操作にともなって可動刃ユニットロック機構５１２による可動刃ユニット４０７のロックを解除すると、当該解除に連動して可動刃ユニット４０７が記録媒体２０２の搬送方向における下流側に移動し、可動刃４０５ｂが動作できる分の余裕を確保することができる。
【０１０２】
これによって、可動刃ユニット４０７の取り外し作業の容易化のために既に設けられている可動刃ユニット４０７の付勢部材５０５を利用して、可動刃４０５ｂが動作できる分の余裕を確保することができ、プリンタ２０１の構成の複雑化をともなうことなく、突出した可動刃４０５ｂを可動刃駆動用のモータを駆動することによって収納部４０７ａへ確実に収納してからカバー部５０２を開くことができる。
【０１０３】
また、この実施の形態のプリンタ２０１は、カバー部５０２を閉じた状態で当該カバー部５０２をプリンタ本体５０１に係止するカバー部ロック機構８０４を備え、カバーオープンレバー１０７を操作することによって、カバー部ロック機構８０４を解除するよう構成されたことを特徴としている。
【０１０４】
この実施の形態のプリンタ２０１によれば、カバーオープンレバー１０７の操作にともなうカバー部ロック機構８０４によるロックの解除に連動して固定刃４０５ａと突出した可動刃４０５ｂとの対峙する間隔を広げることができるので、カバー部５０２を開くためのカバー部ロック機構８０４によるロックの解除に際しては、可動刃４０５ｂを確実に収納部４０７ａに収納した状態でカバー部５０２を開くことができる。
【０１０５】
これによって、プリンタ２０１の操作者に対してカバー部５０２を開ける操作をおこなわせるだけで、可動刃４０５ｂが動作できる分の余裕を確保することができ、プリンタ２０１の操作者に格別意識させることなく、突出した可動刃４０５ｂを可動刃駆動用のモータによって収納部４０７ａへ確実に収納してからカバー部５０２を開くことができる。
【０１０６】
また、この実施の形態のプリンタ２０１は、可動刃ユニット４０７が、プリンタ本体５０１から着脱可能に設けられたことを特徴としている。この実施の形態のプリンタ２０１によれば、使用にともない劣化する可動刃４０５ｂや可動刃駆動用のモータなどの部品をユニット化した可動刃ユニット４０７単位での交換ができるので、劣化にともなう可動刃４０５ｂや可動刃駆動用のモータの交換作業の容易化を図ることができる。
【産業上の利用可能性】
【０１０７】
以上のように、本発明にかかるプリンタは、ロール状に回巻された記録媒体を保持し、当該記録媒体に対して印字をおこなうプリンタに有用であり、特に、固定刃に対して可動刃を摺動させることによって記録媒体を切断するプリンタに適している。
【符号の説明】
【０１０８】
２０１  プリンタ
４０１  印字部
４０５  カッター機構
４０５ａ  固定刃
４０５ｂ  可動刃
４０７  可動刃ユニット
４０７ａ  収納部
５０１  プリンタ本体
５０２  カバー部
５１２  可動刃ユニットロック機構
８０４  カバー部ロック機構
【図１】
2010234561.tif 000003
【図２】
2010234561.tif 000004
【図３】
2010234561.tif 000005
【図４】
2010234561.tif 000006
【図５】
2010234561.tif 000007
【図６】
2010234561.tif 000008
【図７】
2010234561.tif 000009
【図８】
2010234561.tif 000010
【図９】
2010234561.tif 000011
【図１０】
2010234561.tif 000012